(57)【要約】【課題】開発コストの低廉化を図り、さらにユーザが要求する倉庫管理処理・情報管理項目を備える倉庫管理システムを提供すること。【解決手段】本発明に係る倉庫管理システム１は、倉庫管理に用いられる複数の情報管理項目を備えた倉庫管理用データベース３と、複数の情報管理項目の中からユーザが倉庫管理に使用する情報管理項目だけを抽出して記憶した抽出情報記憶手段３と、抽出情報記録手段３に記録された情報管理項目に関連する商品情報を、倉庫管理用データベース３を用いて管理する倉庫管理手段２とを備えている。【選択図】  図１
2004338931.tif 000002
【特許請求の範囲】
【請求項１】
倉庫管理に用いられる複数の情報管理項目を備えた倉庫管理用データベースと、
該複数の情報管理項目の中からユーザが倉庫管理に使用する情報管理項目だけを抽出して記憶した抽出情報記憶手段と、
該抽出情報記録手段に記録された前記情報管理項目に関連する商品情報を、前記倉庫管理用データベースを用いて管理する倉庫管理手段と
を備えたことを特徴とする倉庫管理システム。
【請求項２】
前記抽出情報記憶手段に記憶された情報管理項目より特定の情報管理項目を選択する特定項目選択手段を備え、
前記倉庫管理手段は、前記特定項目選択手段により選択された特定の情報管理項目と、当該特定の情報管理項目に関連する商品情報とによって構成される出力データファイルを作成することを特徴とする請求項１に記載の倉庫管理システム。
【請求項３】
前記特定項目選択手段は、前記抽出情報記憶手段に記憶された情報管理項目よりユーザが前記特定の情報管理項目を選択するために使用する情報選択手段と、前記抽出情報記憶手段に記憶された情報管理項目と前記情報選択手段により選択された前記特定の情報管理項目とを表示する表示手段とを備えることを特徴とする請求項２に記載の倉庫管理システム。
【請求項４】
前記表示手段は、前記倉庫管理手段により作成された出力データファイルの内容を倉庫管理情報として表示することを特徴とする請求項３に記載の倉庫管理システム。
【請求項５】
前記倉庫管理手段により作成された出力データファイルの内容を帳票として出力する印刷手段を備えることを特徴とする請求項２乃至請求項４のいずれか１項に記載の倉庫管理システム。
【請求項６】
商品が収納された棚を特定するための棚情報を読み取る棚情報読取手段を備え、
前記倉庫管理手段は、前記棚情報読取手段により読み取られた棚情報を、該棚情報で特定される棚に収納する商品に関連付けて前記倉庫管理用データベースに記録することを特徴とする請求項１乃至請求項５のいずれか１項に記載の倉庫管理システム。
【発明の詳細な説明】
【０００１】
【発明の属する技術分野】
本発明は、データベースを用いた倉庫管理システムに関する。
【０００２】
【従来の技術】
今日、物流業界においては、商品の搬入、出荷等の管理を行うためにデータベースを用いた倉庫管理システムを構築することが多い。一般的な倉庫管理システムは、あらかじめ倉庫管理に用いられる複数の処理を業務フロー毎にモジュール化して作成しておき、ユーザが必要とする業務フローに応じて複数種類のモジュールを組み合わせることによって、ユーザ毎に異なるシステムとして構成されていた。
【０００３】
【発明が解決しようとする課題】
しかしながら、システム開発業者がユーザ毎にシステムの開発を行う場合には、システム開発に膨大なコストがかかってしまうという問題があり、また、ユーザ毎に異なるシステムを構成するので、システムの安定性を確保するために多くのシステムテスト等が必要になるという問題がある。
【０００４】
一方で、倉庫管理に用いられる一般的な処理内容を予め画一的に備えた倉庫管理システム（以下、汎用倉庫管理システムとする。）が知られている。汎用倉庫管理システムを用いた場合、システム開発に必要とされるコストの低廉化を図ることは容易であるが、ユーザが要求する倉庫管理処理、情報管理項目を全て備える汎用倉庫管理システムがほとんど存在せず、ユーザに最適な倉庫管理システムを汎用倉庫管理システムによって実現することは困難であるという問題があった。
【０００５】
本発明は上記問題に鑑みてなされたものであり、開発コストの低廉化を図り、さらにユーザが要求する倉庫管理処理・情報管理項目を備える倉庫管理システムを提供することを課題とする。
【０００６】
【課題を解決するための手段】
上記課題を解決するために、請求項１に記載の発明は、倉庫管理に用いられる複数の情報管理項目を備えた倉庫管理用データベースと、該複数の情報管理項目の中からユーザが倉庫管理に使用する情報管理項目だけを抽出して記憶した抽出情報記憶手段と、該抽出情報記録手段に記録された前記情報管理項目に関連する商品情報を、前記倉庫管理用データベースを用いて管理する倉庫管理手段とを備えた倉庫管理システムであることを特徴とする。
【０００７】
請求項２に記載の発明は、請求項１に記載の倉庫管理システムにおいて、前記抽出情報記憶手段に記憶された情報管理項目より特定の情報管理項目を選択する特定項目選択手段を備え、前記倉庫管理手段が、前記特定項目選択手段により選択された特定の情報管理項目と、当該特定の情報管理項目に関連する商品情報とによって構成される出力データファイルを作成することを特徴とする。
【０００８】
請求項３に係る発明は、請求項２に記載の倉庫管理システムにおいて、前記特定項目選択手段が、前記抽出情報記憶手段に記憶された情報管理項目よりユーザが前記特定の情報管理項目を選択するために使用する情報選択手段と、前記抽出情報記憶手段に記憶された情報管理項目と前記情報選択手段により選択された前記特定の情報管理項目とを表示する表示手段とを備えることを特徴とする。
【０００９】
請求項４に係る発明は、請求項３に記載の倉庫管理システムにおいて、前記表示手段が、前記倉庫管理手段により作成された出力データファイルの内容を倉庫管理情報として表示することを特徴とする。
【００１０】
請求項５に係る発明は、請求項２乃至請求項４のいずれか１項に記載の倉庫管理システムにおいて、前記倉庫管理手段により作成された出力データファイルの内容を帳票として出力する印刷手段を備えることを特徴とする。
【００１１】
請求項６に係る発明は、請求項１乃至請求項５のいずれか１項に記載の倉庫管理システムにおいて、商品が収納された棚を特定するための棚情報を読み取る棚情報読取手段を備え、前記倉庫管理手段が、前記棚情報読取手段により読み取られた棚情報を、該棚情報で特定される棚に収納する商品に関連付けて前記倉庫管理用データベースに記録することを特徴とする。
【００１２】
【発明の実施の形態】
以下、本発明に係る倉庫管理システムを、図面を用いて説明する。
【００１３】
図１に示すように、本発明に係る倉庫管理システム１は、倉庫管理を行うサーバ２と、倉庫管理に必要な情報管理項目及び商品に関する情報（商品情報）が記録されるデータベース３と、ネットワーク４を介してサーバ２に接続されるクライアント５と、同じくネットワーク４を介してサーバ２に接続されるハンディーターミナル６とを備えている。
【００１４】
データベース３には、倉庫管理処理に使用可能な複数の情報管理項目が予め規定されている。さらに、データベース３には、予め規定されている情報管理項目の中から、ユーザが現実に倉庫管理を行う際に使用する情報管理項目だけが選択的に抽出された選択データ項目記録ファイルが記録されている。選択データ項目記録ファイルは、倉庫管理システムをユーザに提供するシステム開発業者が、ユーザの業務内容をコンサルティングすることによってユーザ毎に最適な情報管理項目を判断して抽出したものである。
【００１５】
サーバ２は、倉庫管理手段としての役割を有しており、クライアント５から送られてくる倉庫管理に関する情報やハンディーターミナル６から送られてくる倉庫棚に関する情報（倉庫情報）を受信してデータベース３に記録するとともに、クライアント５又はハンディーターミナル６からの要求に応じてデータベース３に記録される各種商品情報を、クライアント５又はハンディーターミナル６に送信する役割を担っている。
【００１６】
クライアント５は一般的なパーソナルコンピュータであって、キーボードまたはマウス等の入力手段７と、倉庫管理を行う際に必要とされる情報を表示するためのモニタ８と、後述する出力データファイルの作成等を行う処理部９とを備えている。なお、図１においてクライアント５は３台しか示されていないが、クライアント５の数は３台に限定されるものではなく、３台以上であっても以下であってもよい。
【００１７】
ハンディーターミナル６は、商品が収納される倉庫棚毎に予め割り振られた倉庫情報（例えばバーコード情報等）を読み取るための倉庫情報読取部１０と、操作ボタン１１と、液晶表示部１２とを備えている。ユーザは、ハンディーターミナル６を操作することによって、データベース３より商品情報を入手して液晶表示部１２に表示させ、操作ボタン１１の操作により特定の商品を選択してその商品に関する倉庫情報を倉庫情報読取部で読み取りを行うことによって商品情報に関連付けられた倉庫情報をデータベース３に記録させることが可能となっている。
【００１８】
また、倉庫管理システム１には、ネットワーク４に接続され、または、クライアント５に接続されるプリンタ（印刷手段）が設けられている（図示省略）。プリンタは、処理部９によって作成される出力データファイルを帳票として印刷する。
【００１９】
次に、システム開発業者が、ユーザ毎に最適な情報管理項目をデータベースに記録された複数の情報管理項目から抽出する処理を説明する。なお、この処理はネットワーク管理者としての権限を有する者がサーバ２において、またはネットワーク４を介してサーバ２に接続されたクライアント５において行う。以下、一例としてクライアント５において情報管理項目を抽出する場合を説明する。
【００２０】
まず、システム開発業者は、クライアント５の入力手段７を操作してクライアント５からサーバ２にアクセスし、データベース３において予め規定されている情報管理項目の一覧をモニタ８に表示させる。一覧には、図２に示すように、荷主、倉庫、商品、ロケーション等の情報管理項目からなる第１の設定項目一覧表１５と、商品に関しての商品コード、補助コード、管理日付、分類等の情報管理項目からなる第２の設定項目一覧表１６と、商品の数量、単位等の情報管理項目からなる第３の設定項目一覧表１７が示されている。また、各設定項目一覧表１５、１６、１７には、各情報管理項目の内容に適した設定項目（例えば、属性、表示方法、小数桁等）が設けられるとともに、各情報管理項目を、ユーザが現実に倉庫管理を行う際に使用する情報管理項目として選択的に抽出するか否かの判断を行うためのチェック項目欄１８が「管理」という項目名で設けられている。
【００２１】
システム開発業者は、入力手段７を操作して、コンサルティングの結果を考慮しつつ表示される第１〜第３の設定項目一覧表１５〜１７よりユーザに最適な情報管理項目のチェック項目欄をチェックする。画面に表示された一覧を用いてチェック項目欄のチェックの有無を変更することによって、ユーザに適した情報管理項目の設定を容易に行うことが可能となる。図３は図２に示したチェック項目欄に対応して構成される倉庫管理システム１の管理画面であり、図５は図４に示したチェック項目欄に対応して構成される倉庫管理システム１の管理画面である。図３と図５とに示すように、チェック項目の違いにより、倉庫管理システム１においてユーザが設定可能な情報管理項目が異なったものとなる。上記の処理により抽出された情報管理項目の内容は、限定データ項目記録ファイルとしてデータファイル化されて、システム環境設定情報の一つとしてデータベース３に記録される。サーバ２は、限定データ項目記録ファイルの情報管理項目に基づいて、倉庫管理処理を行う。
【００２２】
このように、倉庫管理システム１を用いることによって、従来の倉庫管理システムのようにシステム開発業者がユーザ毎の要望に応じてシステム全体を設計し、または改変すること無く、ユーザの倉庫管理処理に適した情報管理項目を備えた倉庫管理システムを提供することが可能となる。
【００２３】
次に、ユーザが倉庫管理を行う際に使用する情報管理項目のうち、倉庫管理画面において使用する情報管理項目を制限する処理を説明する。
【００２４】
まずユーザは、クライアント５の入力手段７を操作して、図６に示すようなＭｅｎｕ設定画面をモニタ８に表示させる。Ｍｅｎｕ設定画面には、項目欄２０と表示項目欄２１と整列順欄２２との３つの項目欄が設けられている。項目欄２０には、限定データ項目記録ファイルに記録された情報管理項目が表示される。項目欄２０と表示項目欄２１との間には、項目欄２０に表示された情報管理項目のうちユーザが倉庫管理を行う際にモニタ８に表示させたいと思う情報管理項目を選択するための選択ボタン２３が設けられている。ユーザは、項目欄２０より特定の情報管理項目を選択してから選択ボタン２３を操作することによって、モニタ８に表示させる情報管理項目の選択等を行うことが可能となる。また、表示項目欄２１と整列順欄２２との間にも同様に選択ボタン２３が設けられており、表示項目欄２１に表示される情報管理項目を選択して選択ボタン２３を操作することによって、モニタ８に表示させる情報管理項目の順番を変更することが可能となる。モニタ８に表示させる情報管理項目を選択し終わった後に保存設定欄２４にチェックを入れてからＭｅｎｕ設定処理を終了することによって、選択された情報管理項目からなるＭｅｎｕ設定ファイルが出力データファイルの一種として処理部９により作成される。以後、処理部９は、クライアント５において倉庫管理処理を行う場合に、Ｍｅｎｕ設定ファイルに記録される情報管理項目を読み取ってモニタ８に情報管理項目を表示させる。図７は、図６に示したＭｅｎｕ設定画面において設定された内容に対応して情報管理項目が制限されたモニタ８の表示画面を示したものであり、図９は、図８に示したＭｅｎｕ設定画面において設定された内容に対応して情報設定項目が制限されたモニタ８の表示画面を示したものである。図９は図７に較べて、倉庫欄や荷主欄等の情報管理項目が表示される点で異なっている。
【００２５】
次に、限定データ項目記録ファイルに記録された情報管理項目の中から、特定の情報管理項目を選択して倉庫管理用の帳票を作成する方法を説明する。
【００２６】
図１０〜図１２は、モニタ８に表示される帳票設定画面を示したものである。帳票設定画面には、設定一覧が表示される第１設定表示欄３０と、基本設定の入力項目欄が設けられている第２設定表示欄３１と、選択情報、表示項目設定、入力条件設定、固定条件設定の４つの項目の設定を行う第３設定表示欄３２とが設けられており、さらに、画面の下段には、設定項目の登録、取消、終了等の各種処理機能が割り当てられたファンクションキー３３が設けられている。
【００２７】
第１設定表示欄３０には、帳票として印刷される情報管理項目が既に設定された設定項目が、ユーザの設定した設定名称毎に整列されて表示されている。第２設定表示欄３１には、これから設定する情報管理項目の設定名称を入力する名称欄や、説明を追加するための説明欄等が設けられている。ユーザは、第２設定表示欄３１の名称欄や説明欄に必要事項を入力した後に、第３設定表示欄３２の４つの項目設定を行う。
【００２８】
まず、ユーザは、図１０に示すように、選択情報欄３２ａより帳票印刷の対象となる管理情報を選択し、次に図１１に示すように、表示項目設定欄３２ｂにおいて、Ｍｅｎｕ設定画面で設定したＭｅｎｕ項目設定処理と同様に、項目一覧に表示された情報管理項目より帳票印刷を行う情報管理項目を選択して帳票として印刷される情報管理項目を決定し、その後に並び順の設定を行う。その後、ユーザは、図１２に示すように、入力条件設定欄３２ｃで帳票印刷を行うときに用いる入力条件設定項目を項目一覧欄より選択する。その後、ユーザが登録Ｆ１のファンクションキー３３ａを選択することにより、帳票として出力する情報管理項目の内容が出力データファイルの一種として処理部９により作成される。
【００２９】
図１３は帳票情報ファイルとして記録されている情報管理項目の一覧表を示したものであり、図１４は帳票情報ファイルの内容を帳票として印刷したときのプレビュー画面を示したものである。
【００３０】
このように、倉庫管理システム１を用いることによって、帳票を作成する際に帳票に印刷する情報管理項目および各情報管理項目の並び順等をユーザが自由に選択し、カスタマイズすることが可能となる。さらに、帳票の項目を変更するためにシステム自体に改変を加えてデータベース３をカスタマイズし直す必要がないという利点がある。
【００３１】
次に、倉庫管理システム１における倉庫情報の設定処理について説明する。
【００３２】
例えば、図１５に示す数字の順番で倉庫棚に収納されている商品を出荷する予定であっても、季節ものの商品等を短期間に取り扱う必要性が生じた場合には、商品の出荷順番を図１６や図１７に示す番号の順番に変更させる必要が生じる場合がある。また、複数の商品を取り扱う場合には、注文に応じて倉庫の棚から保管中の商品を取り出す処理（ピッキング処理）を行う必要があり、このピッキング処理を行う順番（ピッキングルート）が、例えば、図１５に示す数字の順番から図１６や図１７に示す番号の順番に変更される場合もある。このような場合、従来の倉庫管理システムの開発手法では、倉庫管理システムの改変を行うことによってピッキングルートの変更等を行っていたため設定変更を迅速に行うことが困難であるという問題があった。
【００３３】
倉庫管理システム１の場合、ハンディーターミナル６においてネットワーク４を介してデータベース３の商品情報を予め読み出し、ハンディーターミナル６の倉庫情報読取部１０で倉庫の棚毎に割り当てられた倉庫情報を読み取って、倉庫情報を商品情報に関連づけてデータベースに記録させることができる。このため、システムの改変を行うことなく、ハンディーターミナル６を用いて再度商品と倉庫情報との関連付けを変更させるだけでピッキングルート等の変更（図１８における順位欄がピッキングルート（ロケーションの順位）を示している）を行うことができるので、迅速に倉庫情報を変更することができるとともに、倉庫情報の変更に伴って生ずるコストを低減させ、さらに変更処理に必要とされる労力を低減させることが可能となる。
【００３４】
なお、以上、発明の実施の形態において説明した倉庫管理システム１は、本発明に係る倉庫管理システムの一実施例を示したものであり、この記載内容に限定されるものではない。例えば、クライアントは、必ずしもパーソナルコンピュータである必要はなく、モニタと入力手段とを備えたＰＤＡ（Ｐｅｒｓｏｎａｌ  Ｄｉｇｉｔａｌ（Ｄａｔａ）  Ａｓｓｉｓｔａｎｔｓ）等であってもよい。また、発明の実施の形態において処理部９が出力データファイルを作成するものとして説明を行ったが、サーバ２がクライアント５の要求に応じて出力データファイルを作成する構成としても良い。
【００３５】
【発明の効果】
以上説明したように、本発明に係る倉庫管理システムを用いることによって、従来の倉庫管理システムのようにシステム開発業者がユーザ毎の要望に応じてシステム全体を設計し、または改変することなく、ユーザが要求する倉庫管理処理・情報管理項目を備える倉庫管理システムを提供することが可能となる。
【図面の簡単な説明】
【図１】本発明に係る倉庫管理システムの概略図を示したものである。
【図２】本発明に係る倉庫管理システムにおいて、ユーザに最適な情報管理項目をデータベースに記録される複数の情報管理項目より抽出する情報管理項目抽出処理の表示画面を示した第１の図である。
【図３】図２に示した情報管理項目抽出処理において抽出された情報管理項目を表示した表示画面である。
【図４】本発明に係る倉庫管理システムにおいて、ユーザに最適な情報管理項目をデータベースに記録される複数の情報管理項目より抽出する情報管理項目抽出処理の表示画面を示した第２の図である。
【図５】図４に示した情報管理項目抽出処理において抽出された情報管理項目を表示した表示画面である。
【図６】本発明に係る倉庫管理システムにおいてユーザがＭｅｎｕ設定を行うＭｅｎｕ設定画面を示した第１の図である。
【図７】図６に示したＭｅｎｕ設定画面において設定された内容に対応して情報管理項目が制限された表示画面を示した図である。
【図８】本発明に係る倉庫管理システムにおいてユーザがＭｅｎｕ設定を行うＭｅｎｕ設定画面を示した第２の図である。
【図９】図８に示したＭｅｎｕ設定画面において設定された内容に対応して情報管理項目が制限された表示画面を示した図である。
【図１０】本発明に係る倉庫管理システムにおける帳票設定画面を示した第１の図である。
【図１１】本発明に係る倉庫管理システムにおける帳票設定画面を示した第２の図である。
【図１２】本発明に係る倉庫管理システムにおける帳票設定画面を示した第３の図である。
【図１３】図１０〜図１２に示した帳票設定画面に従って作成される帳票情報一覧を示した図である。
【図１４】図１０〜図１２に示した帳票設定画面に従って作成される帳票情報ファイルの内容を印刷したときのプレビュー画面を示した図である。
【図１５】ピッキングルート手順を示した第１の図である。
【図１６】ピッキングルート手順を示した第２の図である。
【図１７】ピッキングルート手順を示した第３の図である。
【図１８】ハンディーターミナルで読み取られた倉庫情報よりロケーション内の順位設定を行った表示画面を示した図である。
【符号の説明】
１  倉庫管理システム
２  サーバ（倉庫管理手段）
３  データベース（倉庫管理用データベース、抽出情報記録手段）
４  ネットワーク
５  クライアント（特定項目選択手段）
６  ハンディーターミナル（棚情報読取手段）
７  入力手段（情報選択手段）
８  モニタ（表示手段）
９  処理部
【図１】
2004338931.tif 000003
【図２】
2004338931.tif 000004
【図３】
2004338931.tif 000005
【図４】
2004338931.tif 000006
【図５】
2004338931.tif 000007
【図６】
2004338931.tif 000008
【図７】
2004338931.tif 000009
【図８】
2004338931.tif 000010
【図９】
2004338931.tif 000011
【図１０】
2004338931.tif 000012
【図１１】
2004338931.tif 000013
【図１２】
2004338931.tif 000014
【図１３】
2004338931.tif 000015
【図１４】
2004338931.tif 000016
【図１５】
2004338931.tif 000017
【図１６】
2004338931.tif 000018
【図１７】
2004338931.tif 000019
【図１８】
2004338931.tif 000020